(57)【特許請求の範囲】
【請求項１】
複数枚のカードを重ねて収納したカセットから前記カードを繰り出すカード繰出装置であって、
前記カセットは、内部に収納したカードを定められた枚数ずつ繰り出すため、前記定められた枚数分の厚さに相当する寸法を有した繰出口と、当該カセットの底板に形成されて前記カードの表面を露出させる開口部とを備えて構成され、
前記繰出装置は、前記カセットを装填するカセット装填部と、該カセット装填部の前記開口部に対向する位置に設けられて前記開口部から露出した前記カードを前記繰出口側に向けて繰り出す繰出部材とを備えて構成され、かつ、前記カセットの底板と前記カセット装填部の前記底板に対向する位置とのうち、いずれか一方には凸部が形成され、他方には凹部が形成されて、前記カセットを前記カセット装填部に装填したときに前記凸部が前記凹部にはまりこんで、前記繰出部材が前記カセットの開口部から露出した前記カードに接触する構成とされ、
前記カセット装填部には、前記カセットの前記開口部に対向した位置にて前記カードを押さえ付ける押さえ付けレバーが備えられ、
当該押さえ付けレバーは、前記カセット装填部に対する前記カセットの引き出しに連動して前記カードを押さえ付ける方向とは反対側に移動し、前記カセットの装填に連動して前記押さえ付ける方向に移動するように構成されていることを特徴とするカード繰出装置。
【請求項２】
請求項１記載のカード繰出装置であって、
前記カセット装填部には、前記カードの反りを矯正するため、前記繰出口の近傍において前記カードを押さえ付ける矯正レバーが備えられ、
当該矯正レバーは、前記カセットの引き出し及び装填に連動して、前記押さえ付けレバーとともに移動するように構成されていることを特徴とするカード繰出装置。
【請求項３】
請求項１又は２記載のカード繰出装置であって、
前記カセット装填部に前記カセットを装填したときに、前記カセットの前記繰出口と、前記カセット装填部の挿入口とが、同じ側に位置する構成となっていることを特徴とするカード繰出装置。
【請求項４】
請求項１から３のいずれかに記載のカード繰出装置であって、前記カセットの前記繰出口の近傍には、突条が、前記繰出口の幅方向ほぼ中央部に形成されていることを特徴とするカード繰出装置。
【発明の詳細な説明】
【０００１】
【発明の属する技術分野】
本発明は、例えばプリペイドカード等、種々のカードを販売するときなどに用いて好適なカード繰出装置に関するものである。
【０００２】
【従来の技術】
従来、各種プリペイドカ−ドをはじめとする種々のカードを販売する場合、特にプリペイドカードは金券類と同様に厳密な販売管理を行う必要がある。このため、カードを予め内部に収納しておき、販売時に例えばボタンなどを押すことによって、必要枚数のみのカードが繰出されてくるカード繰出装置が用いられつつある。
このようなカード繰出装置においては、カードの補充時などの操作性を向上させるため、所定枚数のカードをカセットに納め、このカセットをカード繰出装置に装填する方式のものが主流となっている。カセット式のカード繰出装置には、従来、カードを繰り出す方式として、爪押し出し方式と、ベルトまたはローラー摩擦方式とが主に用いられている。
【０００３】
図８に示すものは、爪押し出し方式のカセット繰出装置１であり、このカセット繰出装置１では、カセット収納部２内に複数枚収められたカードを一枚ずつ繰り出すための繰出ローラー３が、図示しないモーターなどで回転駆動されるようになっている。この繰出ローラー３には、タイミングベルト４を介してクランク側プーリー５が連結されており、繰出ローラー３と同期して回転するようになっている。クランク側プーリー５には、その回転軸５ａに対して偏心した位置にクランクロッド６の一端が連結されており、その他端にはガイド部材７が連結されている。このガイド部材７はカードの繰出方向と平行に延在するガイドレール８に沿って移動自在に設けられており、クランク側プーリー５が回転すると、その回転運動がクランクロッド６を介して、ガイドレール８に沿ったガイド部材７の直線往復運動に変換されるようになっている。そして、このガイド部材７には、カード収納部２の底部に位置する爪９が一体に設けられている。
【０００４】
このようなカセット繰出装置１では、ボタン等を操作すると、繰出ローラー３が図示しないモーター等で駆動されて回転を開始する。すると、爪９がガイド部材７と一体に往復運動し始め、カード収納部２の最底部に位置するカードを繰出ローラー３側に向けて押し出す。そして、押し出されたカードの先端部が繰出ローラー３にさしかかると、この後は繰出ローラー３の回転によってカードが繰出口１０から繰り出されるようになっている。そして、繰出ローラー３は、一回転、すなわち爪９が元の位置に復帰した時点で、回転が停止する。
【０００５】
また、図９に示すものはベルトまたはローラー摩擦方式のカード繰出装置１１であって、このカード繰出装置１１は複数枚のカードを収納したカセット１２がカセット装填部１３に装填されるようになっている。そしてカセット装填部１３の底部には、繰出ベルト１４が設けられている。この繰出ベルト１４は、二本の軸１５，１６間に張設されており、図示しない駆動モーター等によって循環駆動されるようになっている。また、この繰出ベルト１４は、ソレノイド１７によってその基端側の軸１５を中心として揺動するようになっている。そして、ソレノイド１７が揺動してその先端部が上昇した位置と対向する位置には、カセット１２の底面に開口部１８が形成され、この開口部１８にはカセット１２内の最低部に位置するカードが露出している。
【０００６】
このようなカード繰出装置１１では、ボタン等を操作すると、ソレノイド１７の作動により繰出ベルト１４が揺動し、その先端部が上昇して、開口部１８から露出しているカセット１２内の最低部に位置するカードの底面に接触する。そして、図示しない駆動モーターを作動させて繰出ベルト１４を循環駆動させることによって、カセット１２内の最低部に位置するカードが、カセット１２の前方に形成された繰出口１９から一枚ずつ繰出されるようになっている。
【０００７】
【発明が解決しようとする課題】
しかしながら、上述したような従来のカード繰出装置には、以下のような問題が存在する。
まず図８に示した爪押し出し方式のカード繰出装置１では、特に爪９を駆動させるためのタイミングベルト４、クランク側プーリー５、クランクロッド６、ガイド部材７、ガイドレール８等からなる機構が非常に複雑であり装置のコスト上昇に結び付いてしまう。また、繰出ローラー３と爪９とがクランクロッド６などを介して連結されているため、爪９を一往復させて元の位置に戻す分、つまりクランク側プーリー５が一回転する分しか繰出ローラー３を回転させることができない。このため、カードの繰出ストロークが限定されることになってしまい、カードの繰出ストロークを変更したい場合等には、非常に大がかりな変更を施さねばならず、繰出ストロークの変更は現実として困難である。
【０００８】
また、図９に示したような、ベルトまたはローラー摩擦方式のカード繰出装置１１では繰出ベルト１４を循環駆動させるための駆動モーター等の駆動源と、繰出ベルト１４全体を揺動させるためのソレノイド１７等の駆動源と、合計二種類の駆動源が必要でありこれもまた装置の複雑化を招くという問題がある。
【０００９】
さらに、このようなベルトまたはローラー摩擦方式のカード繰出装置１１では、ソレノイド１７による繰出ベルト１４の揺動機構を廃止して、繰出ベルト１４を、その先端部側がカセット１２内のカードの底面に接触した状態（図９中、一点差線で示した状態）で固定する構成として、機構の簡略化を図ってコストを削減することも考えられる。しかし、そのような構成とした場合、カセット１２を装填するときのカセット挿入方向と、カセット１２内からカードを繰り出す方向とが反対向きであると、カセット１２の装填時にカセット１２内のカードが繰出ベルト１４に接触してカセット１２から飛び出てしまうという問題が生じる。
【００１０】
これ以外にも、いずれの方式のカード繰出装置１，１１においても、カードが反っている場合、カードが繰出口１０，１９に引っかかってしまうトラブル等が発生するため、その対策も望まれている。
【００１１】
本発明は、以上のような点を考慮してなされたもので、簡易な構成で、しかもカードを確実に繰り出すことのできるカード繰出装置を提供することを課題とする。
【００１２】
【課題を解決するための手段】
請求項１に係る発明は、複数枚のカードを重ねて収納したカセットから前記カードを繰り出すカード繰出装置であって、前記カセットは、内部に収納したカードを定められた枚数ずつ繰り出すため、前記定められた枚数分の厚さに相当する寸法を有した繰出口と、当該カセットの底板に形成されて前記カードの表面を露出させる開口部とを備えて構成され、前記繰出装置は、前記カセットを装填するカセット装填部と、該カセット装填部の前記開口部に対向する位置に設けられて前記開口部から露出した前記カードを前記繰出口側に向けて繰り出す繰出部材とを備えて構成され、かつ、前記カセットの底板と前記カセット装填部の前記底板に対向する位置とのうち、いずれか一方には凸部が形成され、他方には凹部が形成されて、前記カセットを前記カセット装填部に装填したときに前記凸部が前記凹部にはまりこんで、前記繰出部材が前記カセットの開口部から露出した前記カードに接触する構成とされ、前記カセット装填部には、前記カセットの前記開口部に対向した位置にて前記カードを押さえ付ける押さえ付けレバーが備えられ、当該押さえ付けレバーは、前記カセット装填部に対する前記カセットの引き出しに連動して前記カードを押さえ付ける方向とは反対側に移動し、前記カセットの装填に連動して前記押さえ付ける方向に移動するように構成されていることを特徴とする。
【００１３】
カセットをカセット装填部に装填するときに凸部が凹部にはまりこんで、繰出部材がカセット内のカードに接触する構成となっているので、凸部が凹部にはまりこむまでは繰出部材がカードに接触しないことになる。
また、押さえ付けレバーで開口部に対向した位置においてカードを押さえ付けることによって、カードを繰出部材に確実に押し付けることができる。
更に、カセットをカセット装填部から引き出すときにカセット内のカードを押さえ付ける力が解除される。
【００１４】
請求項２に係る発明は、請求項１記載のカード繰出装置であって、前記カセット装填部には、前記カードの反りを矯正するため、前記繰出口の近傍において前記カードを押さえ付ける矯正レバーが備えられ、当該矯正レバーは、前記カセットの引き出し及び装填に連動して、前記押さえ付けレバーとともに移動するように構成されていることを特徴とする。
【００１５】
このように矯正レバーで繰出口の近傍でカードを押さえることによって、カードが反っている場合にもこれを矯正して、カードが繰出口に引っかかることを防止できる。
【００１６】
請求項３に係る発明は、請求項１または２記載のカード繰出装置であって、前記カセット装填部に前記カセットを装填したときに、前記カセットの前記繰出口と、前記カセット装填部の挿入口とが、同じ側に位置する構成となっていることを特徴としている。
【００１７】
このようなカード繰出装置では、カード繰出方向と、カセット挿入方向とが反対向きとなるが、この場合でも、凸部が凹部にはまりこむまでは繰出部材がカードに接触しないので、カードの飛び出しが防止される。
【００２２】
請求項４に係る発明は、請求項１から３のいずれかに記載のカード繰出装置であって、前記カセットの前記繰出口の近傍には、突条が、前記繰出口の幅方向ほぼ中央部に形成されていることを特徴としている。
【００２３】
このようにカセット内に突条を設けることによって、カードが沿っている場合でも、これを押さえ付ければ、その中央部を突条に容易に接触させることができる。
【００２４】
【発明の実施の形態】
以下、本発明に係るカード繰出装置の実施の形態の一例を、図１ないし図７を参照して説明する。
【００２５】
図１〜図７において、符号２０で示すものは、複数枚のカードを収納するカセット、符号３０は、カセット２０を装填しカセット２０内のカードを例えば一枚ずつ繰り出すためのカード繰出装置である。
【００２６】
図１に示すように、カセット２０は、カードとほぼ同じ大きさを有した底板２１と、その四方に形成された側壁２２ａ，２２ｂ，２２ｃ，２２ｄとを有して形成され、上面が開口した構成となっている。このカセット２０の一つの側壁２２ａには、底板２１側にカードを繰り出すための繰出口２３が形成されている。
【００２７】
図１（ｂ）に示したように、繰出口２３の近傍には、その幅方向中央部に、カードの繰出方向に沿って延在する突条２４が、底板２１の上面に突出して形成されており、その先端部２４ａは繰出口２３の直前に位置している。突条２４の先端部２４ａに対向した位置には、繰出口２３の上部から下方に向けて伸びるゲート部材２５が形成されており、それらの間にはカードの厚さ一枚分に相当する隙間が形成されて、この隙間からカードが一枚ずつ繰出されるようになっている。これら突条２４の先端部２４ａとゲート部材２５の下端部２５ａは、カードの引っかかりを防止するためにそれぞれ傾斜面に形成されている。
【００２８】
また、図１（ａ）および（ｂ）に示したように、カセット２０の底板２１の中央部には所定の大きさの開口部２６が形成されている。さらに、底板２１には繰出口２３が形成された側壁２２ａとは反対側の側壁２２ｃの近傍に、下方に突出する凸部２７が例えば二カ所形成されている。また、側壁２２ｃは、その中央部に切欠き２８が形成されており、これによって、側壁２２ｃは、切欠き２８が形成されている部分が、その両側よりも低く形成されている。
【００２９】
尚、図１中、符号２９で示すものはカセット２０を引き出すため底板２１に連続されて形成された取っ手である。
【００３０】
このようなカセット２０内には所定枚数のカードが重ねられて四方に形成された側壁２２ａ，２２ｂ，２２ｃ，２２ｄ内に収納されるようになっており、開口部２６からは最底部に位置するカードの底面が露出するようになっている。
【００３１】
図２〜図５に示すように、カセット繰出装置３０は、下部フレーム３１と上部カバー３２とによってケーシング３３が構成され、その一端側にはカセット２０を挿入するための挿入口３４が形成されている。そして、ケーシング３３内にはこの挿入口３４から挿入したカセット２０を納めるカセット装填部３５が形成されている。図５に示したように、このとき、カセット２０は、カセット２０を装填してその側壁２２ｃが下部フレーム３１に形成されたストッパ部材３６に押し付けられた状態で、挿入口３４側に繰出口２３が露出するよう装填されるものとする。
【００３２】
下部フレーム３１の底部３１ａには、カセット２０を装填した状態でカセット２０の凸部２７に対応する位置に、段部（凹部）３７が形成されている。また、図６に示すように、下部フレーム３１の底部３１ａの一端側にはカセット２０の底板２１に形成された凸部２７とほぼ同じ高さのスペーサ３８が上方に向けて突出形成されている。これにより、カセット２０をカセット装填部３５内に装填する途中の状態において、凸部２７とスペーサ３８とがほぼ同じ高さであるので、カセット２０は水平状態に維持されることになる。
【００３３】
また、図５に示したように、下部フレーム３１には、カセット２０を装填した状態において開口部２６に対向する位置に、繰出ローラー（繰出部材）４０が備えられている。図４に示したように、繰出ローラー４０は、両端部が下部フレーム３１に回転自在に支持された軸４１に一体に設けられている。図３に示したように、軸４１の一端側にはウォームホイール４２が一体に取り付けられており、このウォームホイール４２には、ウォームネジ４３がかみ合っており、ウォームネジ４３は下部フレーム３１の外周面に取り付けられた駆動モーター４４の駆動軸４４ａに一体に設けられている。
【００３４】
これにより繰出ローラー４０は、駆動モーター４４を作動させることによって軸４１と一体に回転駆動されるようになっている。なお、図５に示したように、この繰出ローラー４０はカセット２０をカセット装填部３５に装填した状態において、その上部４０ａがカセット２０の底板２１よりも若干上方に突出するよう配置されている。したがって、カセット２０内に収納された最底部のカードは、繰出ローラー４０によって若干押し上げられた状態で接触することになる。
【００３５】
ケーシング３３には、前部押さえレバー（矯正レバー、レバー）４６と後部押さえレバー（押さえ付けレバー、レバー）４７とが備えられている。これら前部押さえレバー４６と後部押さえレバー４７は、カセット２０に形成された切欠き２８の部分からカセット２０内に延びており、それぞれ上部カバー３２にブラケット４８を介して支持された軸４９を中心として、揺動自在に支持されている。
【００３６】
図２および図３に示したように、これら前部押さえレバー４６と後部押さえレバー４７には、軸４９よりも後方に伸びる延長部４６ａ，４７ａがそれぞれ設けられており、この延長部４６ａ，４７ａにはバネ５０，５１の一端が連結されている。図５に示したように、バネ５０，５１の他端は上部カバー３２に固定されており、これによってバネ５０，５１は、延長部４６ａ，４７ａを上部カバー３２側に引き寄せる方向の付勢力を発揮し、前部押さえレバー４６、後部押さえレバー４７は、その先端部４６ｂ，４７ｂ側が下部フレーム３１の底部３１ａ側に向けて付勢される構成となっている。
【００３７】
前部押さえレバー４６は、その先端部４６ｂが、カセット２０を装填した状態で、カセット２０の底板２１の繰出口２３近傍に位置するように形成されている。また、図２に示したように、前部押さえレバー４６は平面視ロ字状に形成されており、二本一対のレバー延長部４６ｃ，４６ｃがその先端部４６ｂにおいて一体に連結された構成になっている。さらに、レバー延長部４６ｃ，４６ｃは、その先端から所定寸法後方において中間連結部４６ｄによっても一体に連結されており、この中間連結部４６ｄからは上方に反り上がったストッパー部４６ｅが一体に形成されている。
【００３８】
後部押さえレバー４７は、前部押さえレバー４６の二本一対のレバー延長部４６ｃ，４６ｃ間に位置しており、繰出ローラー４０に対向した位置に押さえ部４７ｃが形成されている。さらに、後部押さえレバー４７の先端部４７ｂは、押さえ部４７ｃの前方側において上方に反り返り、前部押さえレバー４６の中間連結部４６ｄの上方に位置する構成になっている。
【００３９】
これにより、図７に示すように、前部押さえレバー４６が持ち上がると、後部押さえレバー４７の先端部４７ｂが中間連結部４６ｄに当たり、これによって後部押さえレバー４７も一体に持ち上がるようになっている。
【００４０】
また、図５に示したように、下部フレーム３１の先端側には、センサーレバー５２が備えられている。このセンサーレバー５２は下部フレーム３１の底部３１ａの下方位置に設けられた軸５３によって揺動自在に支持されており、カセット２０内から繰り出されたカードが当たるとセンサーレバー５２の一端部５２ａが下降し、これにともなって他端部５２ｂが上昇するようになっており、このセンサーレバー５２の他端部５２ｂの上下動をセンサー５４で検知することによって、カードの計数を行うようになっている。
【００４１】
このようなカード繰出装置３０では、図６に示したように、所定枚数のカードを収納したカセット２０をカセット装填部３５に挿入口３４から装填するとき、装填する途中の状態では、凸部２７とスペーサ３８によって、カセット２０の底板２１が、下部フレーム３１の底部３１ａより上方に離間した水平状態でカセット２０の装填が行われることとなる。そして、図５に示したように、さらにカセット２０を押し込むと、カセット２０の側壁２２ｃが下部フレーム３１のストッパ部材３６に当たる直前位置において、凸部２７が段部３７に落ち込み、またスペーサ３８も終わっているので、カセット２０は全体が下方に落ち込み、底板２１と下部フレーム３１の底部３１ａとが接触する状態となる。この状態で、開口部２６から繰出ローラー４０がカセット２０内に若干突出した状態となるので、最底部のカードの底面に繰出ローラー４０が接触することとなる。一方カセット２０内に収納されたカードは、前部押さえレバー４６によって繰出口２３近傍において下方に押さえ付けられ、後部押さえレバー４７によって繰出ローラー４０に押し付けられる。
【００４２】
このようにして、カセット２０をカード繰出装置３０に装填した後、必要に応じボタンなどのスイッチを操作することにより、カセット２０の最底部のカードに接触している繰出ローラー４０が、駆動モーター４４（図２参照）によって所定回転だけ回転駆動され、カセット２０の繰出口２３からカードが一枚だけ繰出されることとなる。
【００４３】
このとき、カセット２０の底板２１には突条２４が形成されているので、カードが中央が盛り上がった状態に反っていても、前部押さえレバー４６で押さえ付けることによってその中央部を突条２４に接触させて反りを矯正することができる。その一方、カードが反っていなかったりあるいはその両端側が上方に持ち上がった状態に反っているときには、前部押さえレバー４６の先端部４６ｂが横方向に所定幅を有しているので、カードを押さえ付けることによって、その中央部を突条２４に接触させることができるとともに、その両端を繰出口２３の高さ以下に矯正することができる。そして、前部押さえレバー４６で反りが矯正されたカードは、繰出口２３の突条２４とゲート部材２５との隙間から繰り出されることになる。
【００４４】
カセット２０内にカードを充填したりあるいはカードの交換等を行う場合には、カセット２０の取っ手２９を手前に引っ張る。すると、図６に示したように、カセット２０の凸部２７が段部３７に当たり、またカセット２０の底板２１の前端部がスペーサ３８に当たり、これによってカセット２０は全体が上方に持ち上げられることとなる。すると、側壁２２ｃの切欠き２８が形成されている部分の上面に、前部押さえレバー４６と後部押さえレバー４７が当たり、これによってこれらは上方に自動的に押し上げられることとなる。そして、図７に示したように、さらにカセット２０を引き出すと、上部カバー３２の先端部に形成された係止爪５６に側壁２２ａが引っかかり、カセット２０が止まるようになっている。この状態でカセット２０内にカードの充填あるいは交換等を行い、再度カセット２０を装填すればよいのである。
【００４５】
上述したカード繰出装置３０では,カセット２０側に凸部２７が形成され、ケーシング３３側に段部３７が形成されているので、カセット２０の装填が完了した時点で、繰出ローラー４０がカセット２０内のカードに接触することとなる。したがって、カセット２０の装填方向とカードの繰出方向が反対向きであっても、カセット２０の装填時にカードが繰出口２３から押し出されるのを防ぐことができる。
しかもこのような構成では、繰出ローラー４０の駆動モーター４４のみ、一つの駆動源ですむので構造が簡単であり、コスト上昇を抑えることができる。
【００４６】
さらに、凸部２７だけではなく、下部フレーム３１の一端側には、スペーサ３８が設けられているので、カセット２０に形成された凸部２７と段部３７の係合によってカセット２０が押し上げられたときに、このカセット２０を水平状態に保つことができる。
【００４７】
また、前部押さえレバー４６で、カセット２０内のカードを繰出口２３の近傍において押さえ付けるようになっているので、カードが反っていてもこれを確実に一枚ずつ繰り出すことができ、カードの繰出口２３への引っかかりなどのトラブルを防止することができる。
【００４８】
加えて、前部押さえレバー４６の前端部が横方向に所定幅を有しているので、カードの両端部が上方に反り上がっていても、カードの矯正を確実に行うことができる。
【００４９】
さらには、カセット２０の底板２１には中央部に突条２４が形成されているので、前部押さえレバー４６ではこの突条２４にさえカードが接触するようカードを押さえ付ければ良い。したがってこの突条２４がない場合にはカードの全面がカセット２０の底板２１に接触するよう押さえ付ける必要があるが、これに比較して、カードが反っている場合の前部押さえレバー４６による押圧力が低くてすむ。その結果、カードを確実に押さえ付けて反りを矯正することができる。また、カードを押さえ付けることによって生じる摩擦抵抗等も減少するので、カードの引っかかりなどのトラブルを防止できるとともに、繰出ローラー４０の駆動力も低くてすむ。
【００５０】
また、後部押さえレバー４７によってカセット２０内のカードが繰出ローラー４０に押し付けられているので、カードが反っている場合にもカードを確実に繰出ローラー４０に接触させて繰り出すことができる。
【００５１】
そして、カセット２０を引き出すときには、切欠き２８が形成されている側壁２２ｃに前部押さえレバー４６と後部押さえレバー４７が当たってこれらが押し上げられるようになっているので、この時点でカードを押さえ付ける力、つまりこれらのカードを介してカセット２０を下部フレーム３１側に押さえ付ける力が解放され、カセット２０の引き出しを容易に行うことができる。
【００５２】
なお、上記実施の形態において、カセット２０をカセット繰出装置３０に装填する構成としたが、その上下左右は問うものではなく、上記に示したものを立てた状態としたような構成や、上下逆向きにしたような構成としても良い。また、凸部２７や凹部としての段部３７についても、その形状や数、位置等を上記以外としても何ら問題はなく、カセット２０を装填した状態でカセット２０内のカードが繰出ローラー４０に接する構成とするのであれば、適宜他の構成を採用することが可能である。
また、繰出ローラー４０についても、その具体的構成を上記にあげたものに限定する意図はなく、ベルト式を採用しても良いし、アーム等でカードを繰り出す構成等としても良い。
【００５３】
さらに、突条２４やゲート部材２５については、カードの反り対策を施す必要のない場合等には、省略可能である。
【００５４】
加えて、繰出口２３の寸法を変更することによって、カードを２枚ずつ、あるいは３枚以上ずつ繰り出すような構成とすることもできる。
【００５５】
さらに加えて、上記実施の形態では、カセット２０を装填した状態で、カセット２０の繰出口２３と、カード繰出装置３０のカセット装填部３５の挿入口３４とが同じ向きとなる構成をあげたが、もちろん、これらが逆向きの構成においても同様の効果を得ることができる。
【００５６】
また、上記したような構成を複数段、つまりカセット装填部３５を複数備え、各カセット装填部３５にカセット２０を装填できるような構成とすることも可能である。
【００５７】
もちろん、上記カード繰出装置３０で取り扱うカードの種類についてはいかなるものであっても良い。
【００５８】
これ以外にも、本発明の主旨を逸脱しない範囲内であれば、いかなる構成を採用しても良く、また上記したような構成を適宜選択的に組み合わせたものとしても良いのは言うまでもない。
【００５９】
【発明の効果】
以上説明したように、請求項１に係るカード繰出装置によれば、カセットまたはカセット装填部のいずれか一方には凸部が形成され、他方には凹部が形成されて、カセットをカセット装填部に装填したときに凸部が凹部にはまりこんで、カセットを繰り出すための繰出部材がカセットの開口部から露出したカードに接触する構成となっている。そして、請求項２に係るカード繰出装置によれば、カセット装填部にカセットを装填したときに、カセットの繰出口と、カセット装填部の挿入口とが同じ側に位置する構成となっている。
これにより、カセットをカセット装填部に装填するときに凸部が凹部にはまりこむまでは繰出部材がカードに接触しないことになる。したがって、特にカセットの装填方向とカードの繰出方向が反対向きである場合に、カセット装填時にカードが飛び出してしまうのを防ぐことができる。また、このような構成では、繰出ローラーの繰出部材として設ける駆動モーター等が一つですむので構造が簡単であり、しかもカードの繰出ストロークも何ら制限を受けることもない。
【００６０】
また、繰出口の近傍においてカードを押さえ付ける矯正レバーが備えられた構成となっている。これにより、カードが反っていてもこれを確実に一枚ずつ繰り出すことができ、カードの繰出口への引っかかりなどのトラブルを防止することができる。
【００６１】
また、カセットの開口部に対向した位置にてカードを押さえ付ける押さえ付けレバーが備えられた構成となっている。これにより、カードが繰出部材に押し付けられ、カードが反っている場合にもカードを確実に繰り出すことができる。
【００６２】
また、カセットをカセット装填部から引き出すときには、レバーがカードを押さえ付ける方向とは反対側に移動する構成となっている。これにより、カードを押さえ付ける力が解放されるので、カセットの引き出しを容易に行うことができる。
【００６３】
また、カセットの繰出口の近傍には、突条が形成された構成となっている。これにより、レバーではこの突条にカードが接触するよう押さえ付ければ良い。したがって、レバーによる押圧力が低くてすみ、カードを確実に押さえ付けて反りを矯正することができ、またカードを押さえ付けることによって生じる摩擦抵抗等も減少するので、カードの引っかかりなどのトラブルを防止できるとともに、繰出部材の駆動力も低くてすむ。
【図面の簡単な説明】
【図１】  本発明に係るカード繰出装置に装填するカセットの一例を示す三面図である。
【図２】  前記カード繰出装置の一例を示す平面図である。
【図３】  図２の正面図である。
【図４】  図２の側面図である。
【図５】  前記カード繰出装置にカセットを装填した状態を示す断面図である。
【図６】  同カード繰出装置にカセットを装填している途中の状態を示す断面図である。
【図７】  同カード繰出装置からカセットを引き出した状態を示す断面図である。
【図８】  従来のカード繰出装置の一例を示す立面図である。
【図９】  従来のカード繰出装置の他の一例を示す立面図である。
【符号の説明】
２０  カセット
２３  繰出口
２４  突条
２６  開口部
２７  凸部
３０  カード繰出装置
３４  挿入口
３５  カセット装填部
３７  段部（凹部）
４０  繰出ローラー（繰出部材）
４６  前部押さえレバー（矯正レバー、レバー）
４７  後部押さえレバー（押さえ付けレバー、レバー）
【図１】
0004058818.tif 000002
【図２】
0004058818.tif 000003
【図３】
0004058818.tif 000004
【図４】
0004058818.tif 000005
【図５】
0004058818.tif 000006
【図６】
0004058818.tif 000007
【図７】
0004058818.tif 000008
【図８】
0004058818.tif 000009
【図９】
0004058818.tif 000010